(57)【要約】      （修正有）【課題】写真のファイリングに便利な機能を有する画像出力受付端末、方法及びプログラムを提供する。【解決手段】画像出力受付端末は、画像データの入力を制御する入力制御部５１と、画像データから得られる属性情報を含むインデックス画像データを生成するインデックス画像生成部５２と、画像データ及びインデックス画像データが一覧表示される一覧表示画面を表示する表示制御部５３と、印刷対象とする画像データ及びインデックス画像データの選択を受け付ける画像選択受付部５５と、選択した画像データ及びインデックス画像データから印刷データを生成し、印刷の実行を制御する印刷制御部５６と、を備える。【選択図】図３
2019153948.tif 000002
【特許請求の範囲】
【請求項１】
画像データの入力を制御する入力制御部と、
前記画像データから得られる属性情報を含むインデックス画像データを生成するインデックス画像生成部と、
印刷対象とする前記画像データ及び前記インデックス画像データの選択を受け付ける画像選択受付部と、
選択した前記画像データ及び前記インデックス画像データから印刷データを生成し、印刷の実行を制御する印刷制御部と、
を備えることを特徴とする画像出力受付端末。
【請求項２】
前記インデックス画像生成部は、前記属性情報に基づいて前記画像データをグループ分けし、グループごとに前記インデックス画像データを生成することを特徴とする請求項１に記載の画像出力受付端末。
【請求項３】
前記インデックス画像生成部は、前記画像データの縮小画像が含まれる前記インデックス画像データを生成することを特徴とする請求項１または請求項２に記載の画像出力受付端末。
【請求項４】
前記インデックス画像生成部は、前記属性情報として撮影場所情報を取得し、前記撮影場所情報に基づいて前記画像データをグループ分けし、グループを代表する前記画像データの縮小画像及びグループに含まれる前記画像データの枚数を地図画像上の前記撮影場所情報が示す位置の周辺に配置することによって、前記インデックス画像データを生成することを特徴とする請求項１に記載の画像出力受付端末。
【請求項５】
前記インデックス画像データの編集を受け付けるインデックス画像編集部、
を更に備えることを特徴とする請求項１から請求項４のいずれかに記載の画像出力受付端末。
【請求項６】
外部の携帯端末への前記インデックス画像データの送信を制御する送信制御部、を更に備え、
前記画像選択受付部は、更に、送信対象の前記インデックス画像データの選択を受け付けることを特徴とする請求項１から請求項５のいずれかに記載の画像出力受付端末。
【請求項７】
コンピュータが、
画像データの入力を制御するステップと、
前記画像データから得られる属性情報を含むインデックス画像データを生成するステップと、
印刷対象とする前記画像データ及び前記インデックス画像データの選択を受け付けるステップと、
選択した前記画像データ及び前記インデックス画像データから印刷データを生成し、印刷の実行を制御するステップと、
を実行することを特徴とする画像出力受付方法。
【請求項８】
画像データの入力を制御するステップと、
前記画像データから得られる属性情報を含むインデックス画像データを生成するステップと、
印刷対象とする前記画像データ及び前記インデックス画像データの選択を受け付けるステップと、
選択した前記画像データ及び前記インデックス画像データから印刷データを生成し、印刷の実行を制御するステップと、
を含む処理をコンピュータに実行させるためのプログラム。
【発明の詳細な説明】
【技術分野】
【０００１】
本発明は、画像データの印刷を受け付け、印刷を行う画像出力受付端末等に関するものである。
【背景技術】
【０００２】
従来から、家電量販店やショッピングモール等の店頭に画像出力受付端末が設置されている。画像出力受付端末は、スマートフォンやデジタルカメラ等のメモリに記憶されている画像データを入力して画面に表示し、利用者から印刷対象の画像の選択を受け付け、その場で写真を印刷する。
【０００３】
ＧＰＳ（Global Positioning System）の機能を有するスマートフォンやデジタルカメラ等によって撮影された画像データには、撮影場所を示す位置情報が付与されている。特許文献１には、この位置情報を有効活用した画像出力受付端末が開示されている。特許文献１に記載の画像出力受付端末は、位置情報から地名情報を照合し、印刷対象の画像データ及び地名情報が配置された印刷データを生成する。これによって、利用者は、印刷された写真を見るだけで、どこで撮影された画像なのかを知ることができる。
【先行技術文献】
【特許文献】
【０００４】
【特許文献１】特開２０１３−５８１８６号公報
【発明の概要】
【発明が解決しようとする課題】
【０００５】
ところで、印刷された写真をファイリング用のアルバムに入れる際、時間が経過しても当時のことを思い出すことができるように、写真挿入スペースの余白に日付や場所を手書きで記載したり、日付や場所が記載された用紙を写真挿入スペースに挿入したりすることがある。しかしながら、こうした写真の整理には、手間がかかり、まとまった時間が必要である。また、写真の印刷からアルバムの整理までに時間が空いてしまうと、日付や場所を思い出すことに時間がかかったり、所望の写真の挿入順（例えば日時順）とは異なる順序で挿入してしまったり、手書きの記入ミスによって汚れてしまうことに気を遣ったりするといった問題もある。これらの写真のファイリングにおける問題が、画像出力受付端末を利用する上での心理的な妨げになっている可能性がある。特許文献１に記載の画像出力受付端末は、必ずしも写真のファイリングに適した機能を提供しているとは言えない。
【０００６】
本発明は、前述した問題点に鑑みてなされたものであり、その目的とすることは、写真のファイリングに便利な機能を有する画像出力受付端末等を提供することである。
【課題を解決するための手段】
【０００７】
前述した目的を達成するための第１の発明は、画像データの入力を制御する入力制御部と、前記画像データから得られる属性情報を含むインデックス画像データを生成するインデックス画像生成部と、印刷対象とする前記画像データ及び前記インデックス画像データの選択を受け付ける画像選択受付部と、選択した前記画像データ及び前記インデックス画像データから印刷データを生成し、印刷の実行を制御する印刷制御部と、を備えることを特徴とする画像出力受付端末である。第１の発明によって、写真のファイリングに便利な機能を有する画像出力受付端末を提供することができる。
【０００８】
第１の発明における前記インデックス画像生成部は、前記属性情報に基づいて前記画像データをグループ分けし、グループごとに前記インデックス画像データを生成するようにしても良い。これによって、インデックス画像データが、同一のグループに含まれる画像データ群の見出しの役割を果たす。
【０００９】
また、第１の発明における前記インデックス画像生成部は、前記画像データの縮小画像が含まれる前記インデックス画像データを生成するようにしても良い。これによって、写真のファイリング時の利便性が増す。
【００１０】
また、第１の発明における前記インデックス画像生成部は、前記属性情報として撮影場所情報を取得し、前記撮影場所情報に基づいて前記画像データをグループ分けし、グループを代表する前記画像データの縮小画像及びグループに含まれる前記画像データの枚数を地図画像上の前記撮影場所情報が示す位置の周辺に配置することによって、前記インデックス画像データを生成するようにしても良い。これによって、１枚のインデックス画像データが複数のグループを纏めた大見出しの役割を果たす。
【００１１】
また、第１の発明は、前記インデックス画像データの編集を受け付けるインデックス画像編集部、を更に備えるようにしても良い。これによって、利用者は、インデックス画像データを編集することができる。
【００１２】
また、第１の発明は、外部の携帯端末への前記インデックス画像データの送信を制御する送信制御部、を更に備え、前記画像選択受付部は、更に、送信対象の前記インデックス画像データの選択を受け付けるようにしても良い。これによって、利用者は、自らの携帯端末へのインデックス画像データの送信を指示することができ、携帯端末における画像データの閲覧時に便利である。
【００１３】
第２の発明は、コンピュータが、画像データの入力を制御するステップと、前記画像データから得られる属性情報を含むインデックス画像データを生成するステップと、印刷対象とする前記画像データ及び前記インデックス画像データの選択を受け付けるステップと、選択した前記画像データ及び前記インデックス画像データから印刷データを生成し、印刷の実行を制御するステップと、を実行することを特徴とする画像出力受付方法である。第２の発明によって、写真のファイリングに便利な機能を有する画像出力受付方法を実行することができる。
【００１４】
第３の発明は、画像データの入力を制御するステップと、前記画像データから得られる属性情報を含むインデックス画像データを生成するステップと、印刷対象とする前記画像データ及び前記インデックス画像データの選択を受け付けるステップと、選択した前記画像データ及び前記インデックス画像データから印刷データを生成し、印刷の実行を制御するステップと、を含む処理をコンピュータに実行させるためのプログラムである。第３の発明のプログラムを汎用のコンピュータにインストールすることによって、第１の発明の画像出力受付端末を得ることができる。
【発明の効果】
【００１５】
本発明により、写真のファイリングに便利な機能を有する画像出力受付端末等を提供することができる。
【図面の簡単な説明】
【００１６】
【図１】画像出力受付端末１の外観斜視図
【図２】画像出力受付端末１のハードウエアの構成例を示すブロック図
【図３】コンピュータ３０の機能構成例を示すブロック図
【図４】コンピュータ３０の処理の流れを示すフローチャート
【図５】画像データ６０の一例を示す図
【図６】インデックス画像生成部５２の処理を説明する図
【図７】インデックス画像生成部５２の処理を説明する図
【図８】表示制御部５３の処理を説明する図
【図９】インデックス画像編集部５４の処理を説明する図
【図１０】インデックス画像生成部５２の変形例の処理を説明する図
【発明を実施するための形態】
【００１７】
以下図面に基づいて、本発明の実施形態を詳細に説明する。図１は、画像出力受付端末１の外観斜視図である。画像出力受付端末１は、店頭において、入力メディア（記憶媒体）や携帯端末に記憶されている画像データの印刷を受け付け、印刷を行う端末である。画像出力受付端末１は、予め画像データが記憶された入力メディアや携帯端末（いずれも不図示）から画像データを取得し、内部に保持する。
【００１８】
入力メディアは、例えば、Blue-Ray Disk／DVD-ROM／CD-ROM／CD-R／CD-RW、コンパクトフラッシュ（登録商標）、SD（Secure Digital）カード、ミニSDカード、マイクロSDカード、xD−ピクチャーカード、SmartMedia（登録商標）、MEMORY STICK（登録商標）、USB（Universal Serial Bus）メモリ等である。
【００１９】
携帯端末は、例えば、スマートフォン、カメラ付き携帯電話機、タブレット端末、ノート型パーソナルコンピュータ等である。通信手段は、例えば、bluetooth（登録商標）、IR（赤外線通信）、有線ケーブル等である。
【００２０】
画像データには、Ｅｘｉｆ（Exchangeable image file
format）規格のＧＰＳに関する付属情報が付加されている。付属情報には、撮影位置情報および撮影時刻情報等がある。
【００２１】
画像出力受付端末１の上部正面には、タッチパネル付ディスプレイ１１が配置されている。タッチパネル付ディスプレイ１１は、操作の案内、操作の状況、読み込んだ画像データ等を表示するとともに、利用者からの指示を受け付ける。利用者は、タッチパネル付ディスプレイ１１を介して、印刷注文する画像データの選択、画像データの画像処理の指示等を行う。
【００２２】
タッチパネル付ディスプレイ１１の下部には、メディア投入口１２および通信口１３が設けられている。メディア投入口１２は、各メディアの挿入口であり、複数の挿入口が１箇所にまとめて配置されている。通信口１３は、各携帯端末と通信を行うための通信ポートであり、複数の通信ポート（赤外線ポートやUSB（Universal Serial Bus）ポートなど）が１箇所にまとめて配置されている。
【００２３】
画像出力受付端末１の下段部の前面板１４には、レシート取出口１５、硬貨投入口１６および紙幣挿入口１７のような料金投入口、つり銭返却口１８、印刷物取出口１９、ドア開閉キー２０、メンテナンスキー２１等が設けられている。
【００２４】
レシート取出口１５、硬貨投入口１６、紙幣挿入口１７、つり銭返却口１８は、利用者による印刷物の注文内容に応じた入金を要求する課金手段として機能する。利用者は、硬貨投入口１６に硬貨を投入したり、紙幣挿入口１７に紙幣を挿入したりすることにより、印刷物の料金を支払う。つり銭がある場合には、つり銭返却口１８から放出される。また、料金徴収後、徴収金額や注文内容等が印刷されたレシートがレシート取出口１５から放出される。
【００２５】
印刷物取出口１９には、画像出力受付端末１の筐体内に設置されるプリンタにより印刷された印刷物が排出される。ドア開閉キー２０は、画像出力受付端末１の前面板１４を開閉するためのキーである。メンテナンスキー２１は、利用者が画像出力受付端末１を利用可能な運転モードと、管理者が画像出力受付端末１のメンテナンスや設定、レシートの再印刷等を行う管理モードを切り替えるためのキーである。
【００２６】
次に、画像出力受付端末１の基本的動作について説明する。
【００２７】
画像出力受付端末１は、入力メディアから読み込んだ画像データを液晶ディスプレイ等のタッチパネル付ディスプレイ１１に表示する。利用者は、タッチパネル付ディスプレイ１１に設けられたタッチパネルにより、入力メディアや携帯端末等から読み込んだ画像の中から印刷注文する画像を選択する。
【００２８】
利用者は、タッチパネル付ディスプレイ１１に表示された画面上で、印刷注文する画像を選択した後、印刷の実行を指示すると、画像出力受付端末１内のコンピュータが内部プリンタに画像データを転送する。
【００２９】
画像出力受付端末１は、利用者に印刷物の印刷注文に応じた料金を算出、表示し、必要に応じてレシートプリンタによりレシート（引換券）を発行し、利用者に支払いを要求する。画像出力受付端末１は、課金手段により利用者の入金が完了すると、印刷データの印刷を開始する。印刷された印刷物は、印刷物取出口１９から排出され、利用者に提供される。
【００３０】
尚、画像出力受付端末１は、料金算出、レシート（引換券）の発行を行うだけでなく、課金機を装備しているため、利用者に入金を要求して現金による課金処理を行うようにすることもできる。
【００３１】
図２は、画像出力受付端末１のハードウエアの構成例を示すブロック図である。コンピュータ３０は、制御部３１、記憶部３２、入出力部３３、通信部３４等から構成され、各種メディア読取部４１、通信部４２、シャッタ４３、モニタ４４、コインメック４５、ビルバリ４６、レシートジャーナル処理部４７、およびプリンタ４８を制御する。
【００３２】
制御部３１は、プログラムの実行を行うCPU（Central processing Unit）と、プログラム命令あるいはデータ等を格納するためのRAM（Random Access Memory）、ROM（Read Only Memory）等で構成される。制御部３１は、記憶部３２等に格納されたプログラムに従って、バス３５を介して接続された各装置を制御する。
【００３３】
記憶部３２には、制御部３１が実行するプログラム、プログラム実行に必要なデータ、OS（Operating System）等が格納される。プログラムは、例えば、画像入力プログラム、課金処理プログラム、レシート印刷処理プログラム、保守プログラム等である。データは、例えば、画像データや印刷データ等である。
【００３４】
プログラムのコードは、制御部３１により必要に応じて読み出され、RAMに移され、CPUに読み出されて各種機能として実行される。
【００３５】
入出力部３３は、記憶部３２に格納されているプログラム等の更新や、画像出力受付端末１の設定等を行うメンテナンス時に用いられる。
【００３６】
通信部３４は、通信制御装置、通信ポート等を有し、画像出力受付端末１と図示せぬネットワーク間の通信を媒介する通信インターフェースである。通信部３４は、ネットワークを介して画像出力受付端末１と他の外部装置間の通信制御を行う。
【００３７】
各種メディア読取部４１は、メディア投入口１２の各メディアの挿入口に対応して画像出力受付端末１内部に設けられ、挿入された入力メディアに予め記憶されている画像データを読み込む。通信部４２は、通信口１３の各通信ポートに対応して設置されており、通信中の携帯端末に予め記憶されている画像データを読み込む。
【００３８】
シャッタ４３は、メディア投入口１２の各挿入口に設けられ、入力メディアの挿入口を開閉し、読取処理の最中や、課金処理が完了するまで、入力メディアを取り出せないようにする。モニタ４４は、タッチパネル付ディスプレイ１１である。
【００３９】
コインメック４５、ビルバリ４６、レシートジャーナル処理部４７は、課金機能の役割を果たす。コインメック４５は、硬貨投入口１６に対応して画像出力受付端末１内部に設けられ、硬貨の入出力を管理する。ビルバリ４６は、紙幣挿入口１７に対応して画像出力受付端末１内部に設けられ、紙幣の入出力を管理する。
【００４０】
レシートジャーナル処理部４７は、レシート取出口１５に対応して画像出力受付端末１内部に設けられ、利用者の徴収金額や注文内容に応じたレシートを印刷する。
【００４１】
プリンタ４８は、印刷物取出口１９に対応して画像出力受付端末１内部に設けられ、印刷物を印刷する。プリンタ４８は、画像データを印刷する高解像度カラープリンタであり、熱転写プリンタあるいはインクジェット型など、プリンタの方式は特に問わない。
【００４２】
尚、プリンタ４８は、画像出力受付端末１内部に設けられ、そこで印刷が行われるが、これに限らず、例えば、通信部３４およびネットワークを介して接続されたプリンタサーバに画像データを転送し、そこで印刷を行わせることも勿論可能である。すなわち、画像出力受付端末１とプリンタ４８はそれぞれ別体であってもよい。
【００４３】
図３は、コンピュータ３０の機能構成例を示すブロック図である。図３に示すように、コンピュータ３０は、入力制御部５１、インデックス画像生成部５２、表示制御部５３、インデックス画像編集部５４、画像選択受付部５５、印刷制御部５６、送信制御部５７及び課金部５８を備える。
【００４４】
入力制御部５１は、各種メディア読取部４１で読み込まれた画像データや通信部４２で読み込まれた画像データの入力を制御する。
【００４５】
インデックス画像生成部５２は、画像データから得られる属性情報を含むインデックス画像データを生成する。属性情報は、例えば、画像データの付属情報である撮影位置情報、撮影時刻情報が挙げられる。また、属性情報は、画像データを画像解析することによって判別される人物の顔、建物、風景などの情報であっても良いし、同じ属性情報、例えば同じ地域や同じ撮影日の画像データの枚数などの情報であっても良い。インデックス画像データは、画像データの見出しとなるデータであり、少なくとも属性情報が配置されている。
【００４６】
表示制御部５３は、画像データ及びインデックス画像データが一覧表示される一覧表示画面（印刷する画像を選択する画面）をモニタ４４（タッチパネル付ディスプレイ１１）に表示する。また、表示制御部５３は、画像データの印刷サービスを利用者に提供するための画像出力サービス案内画面等の各種画面をモニタ４４（タッチパネル付ディスプレイ１１）に表示する。
【００４７】
インデックス画像編集部５４は、インデックス画像データの編集を受け付ける。インデックス画像データは、インデックス画像生成部５２によって自動的に生成された後、インデックス画像編集部５４によって様々な編集が可能である。
【００４８】
画像選択受付部５５は、タッチパネル付ディスプレイ１１を介して、一覧表示画面にて、印刷対象の画像データ及びインデックス画像データの選択を受け付ける。印刷制御部５６は、印刷対象の画像データ及びインデックス画像データから印刷データを生成し、プリンタ４８による印刷の実行を制御する。
【００４９】
また、画像選択受付部５５は、タッチパネル付ディスプレイ１１を介して、一覧表示画面にて、外部の携帯端末への送信対象の画像データやインデックス画像データの選択を受け付ける。送信制御部５７は、通信部４２による外部の携帯端末への画像データやインデックス画像データの送信を制御する。
【００５０】
課金部５８は、印刷注文に応じた料金を算出し、その算出結果をモニタ４４に表示させ、利用者に支払いを要求する。また課金部５８は、コインメック４５やビルバリ４６の金銭の入出力を管理する。
【００５１】
図４は、コンピュータ３０の処理の流れを示すフローチャートである。図４に示すように、入力制御部５１は、画像データの入力を制御し、画像データを読み込む（ステップＳ１）。
【００５２】
図５は、画像データ６０の一例を示す図である。図５に示す例では、入力制御部５１によって読み込まれる画像データ６０は、６枚の画像データ６０ａ〜６０ｆである。画像データ６０ａ及び６０ｂの属性情報は、撮影日時情報が１２月１日〜１２月２日、撮影場所情報が伊豆である。画像データ６０ｃ、６０ｄ及び６０ｅの属性情報は、撮影日時情報が１２月２日〜１２月３日、撮影場所情報が熱海である。画像データ６０ｆの属性情報は、撮影日時情報が１２月３日〜１２月４日、撮影場所情報が浜松である。尚、画像データには緯度及び経度のデータが付属されているため、コンピュータ３０は、緯度及び経度のデータを地図データと照合することによって、撮影場所情報として地域の名称を取得することが可能である。
【００５３】
次に、インデックス画像生成部５２は、画像データから得られる属性情報に基づいて画像データをグループ分けし、グループごとに属性情報を含むインデックス画像データを生成する（ステップＳ２）。
【００５４】
図６は、インデックス画像生成部５２の処理を説明する図である。インデックス画像生成部５２は、画像データ６０ａ〜６０ｆから得られる撮影場所情報（＝属性情報の一つ）をグループ分けのキーとし、撮影場所情報が「伊豆」の画像データ６０ａ及び６０ｂを第１グループ、撮影場所情報が「熱海」の画像データ６０ｃ、６０ｄ及び６０ｅを第２グループ、撮影場所情報が「浜松」の画像データ６０ｆを第３グループとする。
【００５５】
図７は、インデックス画像生成部５２の処理を説明する図である。インデックス画像生成部５２は、グループごとに、属性情報と、画像データの縮小画像との両方が配置されるインデックス画像データを生成する。生成されるインデックス画像データは、各グループに含まれる。図７（ａ）に示すインデックス画像データ７０ａは、第１グループに含まれ、属性情報６２ａ（＝撮影場所情報）「伊豆高原」の文字と、属性情報６２ｂ（＝撮影日時情報）「12/1-12/2」の文字と、属性情報６２ａに係る画像データ６０ａ及び６０ｂの縮小画像６１ａ及び６１ｂとが配置されている。図７（ｂ）に示すインデックス画像データ７０ｂは、第２グループに含まれ、属性情報６２ｃ（＝撮影場所情報）「熱海」の文字と、属性情報６２ｄ（＝撮影日時情報）「12/2-12/3」の文字と、属性情報６２ｃに係る画像データ６０ｃ、６０ｄ及び６０ｅの縮小画像６１ｃ、６１ｄ及び６１ｅとが配置されている。図７（ｃ）に示すインデックス画像データ７０ｃは、第３グループに含まれ、属性情報６２ｅ（＝撮影場所情報）「浜松」の文字と、属性情報６２ｆ（＝撮影日時情報）「12/3-12/4」の文字と、属性情報６２ｅに係る画像データ６０ｆの縮小画像６１ｆとが配置されている。インデックス画像データに縮小画像が含まれることによって、写真のファイリング時の利便性が増す。
【００５６】
図４の説明に戻る。表示制御部５３は、グループごとに画像データ及びインデックス画像データが一覧表示される一覧表示画面（印刷する画像を選択する画面）の表示する（ステップＳ３）。
【００５７】
図８は、表示制御部５３の処理を説明する図である。表示制御部５３は、グループごとに、インデックス画像データを先頭とし、グループ分けのキーとした属性情報とは異なる属性情報に基づいて画像データを２番目以降に整列する。これによって、インデックス画像データが、同一のグループに含まれる画像データ群の見出しの役割を果たす。
【００５８】
図８に示す例では、表示制御部５３は、グループごとに、インデックス画像データを先頭とし、撮影日時情報に基づいて画像データを２番目以降に整列する。第１グループについては、インデックス画像データ７０ａ、画像データ６０ａ、画像データ６０ｂの順、第２グループについては、インデックス画像データ７０ｂ、画像データ６０ｃ、画像データ６０ｄ、画像データ６０ｆの順、第３グループについては、インデックス画像データ７０ｃ、画像データ６０ｆの順に整列され、一覧表示画面に表示される。但し、図８のように画像データ及びインデックス画像データの整列は必須ではなく、インデックス画像データが一覧表示画面において印刷画像として選択可能であれば、どのような順序で表示されても良い。
【００５９】
図４の説明に戻る。インデックス画像データを編集する場合（ステップＳ４のＹｅｓ）、インデックス画像編集部５４は、インデックス画像データの編集を受け付ける（ステップＳ５）。
【００６０】
図９は、インデックス画像編集部５４の処理を説明する図である。図９（ａ）に示す例では、インデックス画像編集部５４は、文字フォントの変更を受け付け、既に配置されている属性情報をユーザによって指示された文字フォントに変更する。図９（ｂ）に示す例では、インデックス画像編集部５４は、文字の追加を受け付け、既に配置されている属性情報に加えて、ユーザによって入力された文字「雲の上」を追加する。図９（ｃ）に示す例では、インデックス画像編集部５４は、画像データの縮小画像が配置される位置の変更を受け付け、画像データの縮小画像をユーザによって指示された位置に移動する。図９（ｄ）に示す例では、インデックス画像編集部５４は、画像データの縮小画像の削除を受け付け、画像データの縮小画像を削除する。図９（ｅ）に示す例では、インデックス画像編集部５４は、背景の変更を受け付け、ユーザによって指示された背景に変更する。
【００６１】
図４の説明に戻る。インデックス画像データを編集しない場合（ステップＳ４のＹｅｓ）、画像選択受付部５５は、一覧表示画面にて、印刷対象の選択を受け付けるとともに（ステップＳ６）、送信対象の選択を受け付ける（ステップＳ７）。
【００６２】
次に、課金部５８は、課金処理を行い（ステップＳ８）、印刷制御部５６は、印刷対象の画像データ及びインデックス画像データから印刷データを生成し、プリンタ４８による印刷の実行を制御し（ステップＳ９）、送信制御部５７は、通信部４２による外部の携帯端末への画像データやインデックス画像データの送信を制御する（ステップＳ１０）。ここで、印刷制御部５６は、表示制御部５３によって画像データ及びインデックス画像データが整列されている場合には、整列された順に、画像データ及びインデックス画像データが印刷されるように制御する。また、送信制御部５７においても、表示制御部５３によって画像データ及びインデックス画像データが整列されている場合には、整列された順に、画像データ及びインデックス画像データが送信されるように制御する。これによって、インデックス画像データの後に、インデックス画像データに紐づく同一グループの画像データが出力されるので、写真の整理が容易になる。
【００６３】
尚、携帯端末への送信については課金しない場合、コンピュータ３０は、ステップＳ７の処理（送信対象の選択受付）をステップＳ９（印刷の実行制御）の処理の後に実行しても良い。これによって、利用者は、印刷を待っている間に、携帯端末に送信させる画像データ及びインデックス画像データを選択できるので、待ち時間を有効に活用できる。
【００６４】
図１０は、インデックス画像生成部５２の変形例の処理を説明する図である。インデックス画像生成部５２は、属性情報として撮影場所情報を取得し、撮影場所情報に基づいて画像データをグループ分けし、グループを代表する画像データの縮小画像及びグループに含まれる画像データの枚数を地図画像上の撮影場所情報が示す位置の周辺に配置することによって、インデックス画像データを生成するようにしても良い。これによって、１枚のインデックス画像データが複数のグループを纏めた大見出しの役割を果たす。インデックス画像生成部５２は、グループを代表する画像データとして、例えば、グループ内で最も撮影日時が古い画像データを選択しても良いし、ユーザによって指定される画像データを選択しても良い。また、インデックス画像生成部５２は、地図画像の範囲を、配置対象となる全ての画像データの撮影場所情報が示す位置を含むように設定する。
【００６５】
図１０に示す例では、地図画像上の「伊豆高原」の周辺に第１グループを代表する画像データ６０ａの縮小画像６１ａと第１グループに含まれる画像データの枚数「２」が表示され、地図画像上の「熱海」の周辺に第２グループを代表する画像データ６０ｃの縮小画像６１ｃと第２グループに含まれる画像データの枚数「３」が表示され、地図画像上の「浜松」の周辺に第３グループを代表する画像データ６０ｆの縮小画像６１ｆと第３グループに含まれる画像データの枚数「１」が表示されている。
【００６６】
変形例において、グループ分けの対象となる画像データの枚数や、地図画像の範囲は、ユーザによって適宜選択可能である。また、グループ分けの単位（国単位、県単位、市町村単位等）も、ユーザによって適宜選択可能である。また、インデックス画像生成部５２は、地図画像上に、時系列順に移動経路を配置したり、グループ間の移動距離を配置したりしても良い。
【００６７】
以上、本発明の実施形態によれば、写真のファイリングに便利な機能を有する画像出力受付端末１を提供することができる。画像出力受付端末１は、画像データとは別に、画像データから得られる属性情報を含むインデックス画像データを生成し、印刷可能とする。利用者は、画像データとともにインデックス画像データの印刷を指示することによって、アルバム等への写真のファイリング時に手作業で行っていた日付や場所の記入を行う必要がない。また、インデックス画像データが画像データの見出しの役割を果たすので、アルバムへの挿入順の参考になり、写真のファイリングが容易になる。更に、画像出力受付端末１による印刷枚数を増やすことができるので、売り上げの増加も期待できる。
【００６８】
また、画像出力受付端末１は、外部の携帯端末へのインデックス画像データの送信を可能とする。利用者は、自らの携帯端末へのインデックス画像データの送信を指示することによって、インデックス画像データが画像データの見出しの役割を果たし、画像データの閲覧時に便利である。
【００６９】
以上、添付図面を参照しながら、本発明に係る画像出力受付端末等の好適な実施形態について説明したが、本発明はかかる例に限定されない。当業者であれば、本願で開示した技術的思想の範疇内において、各種の変更例又は修正例に想到し得ることは明らかであり、それらについても当然に本発明の技術的範囲に属するものと了解される。
【符号の説明】
【００７０】
１：画像出力受付端末
３０：コンピュータ
５１：入力制御部
５２：インデックス画像生成部
５３：表示制御部
５４：インデックス画像編集部
５５：画像選択受付部
５６：印刷制御部
５７：送信制御部
６０、６０ａ〜６０ｆ：画像データ
６１ａ〜６１ｆ：縮小画像
６２ａ〜６２ｆ：属性情報
７０ａ〜７０ｄ：インデックス画像データ
【図１】
2019153948.tif 000003
【図２】
2019153948.tif 000004
【図３】
2019153948.tif 000005
【図４】
2019153948.tif 000006
【図５】
2019153948.tif 000007
【図６】
2019153948.tif 000008
【図７】
2019153948.tif 000009
【図８】
2019153948.tif 000010
【図９】
2019153948.tif 000011
【図１０】
2019153948.tif 000012